(57)【要約】【課題】段ボールと緩衝材ブロックとを組合わせて、緩衝材を形成する場合に、緩衝材の段ボールと発泡プラスチック等の緩衝ブロックが衝撃等によって外れることはなく、最終的に分解するときには、容易に取外しできるようにする。【解決手段】胴体に段ボールの板が進入するスリット１１を切り込んだ緩衝ブロック１０と、緩衝ブロック１０がスリット１１を板面に平行にした姿勢で進入可能な貫通孔２１を備えた板状の段ボール２０とから成り、緩衝ブロック１０を貫通孔２１に挿入してスリット１１を貫通孔２１の縁に係止させる。貫通孔は、緩衝ブロックの抜け止めのために部分的に切り残して形成したフラップ２５を備えるとよい。【選択図】        図１
2005022717.tif 000002
【特許請求の範囲】
【請求項１】
段ボール又はこれに類似した板材と緩衝ブロックとを組み合わせてなる緩衝材において、板材に貫通孔を設け、該貫通孔は緩衝ブロックが挿通されると共に部分的に切り残して孔の縁にフラップを形成しておき、一方、緩衝ブロックには板材が進入するスリットを胴部に切り込んでおき、前記緩衝ブロックのスリットを前記フラップに対向する辺に向けて、フラップを曲げて緩衝ブロックを貫通孔内にスリット部分まで挿入し、前記スリットに貫通孔の縁が進入するように緩衝ブロックを移動させ、前記フラップを元に戻して緩衝ブロックの位置を保持するようにしたことを特徴とする緩衝材。
【請求項２】
段ボール又はこれに類似した板材と緩衝ブロックとを組み合わせてなる緩衝材において、板材にＬ字状に開脚形に連設した形状の貫通孔を設け、該貫通孔のＬ字の各辺の孔に挿通される２個の緩衝ブロックを備え、緩衝ブロックには板材が進入するスリットを胴部に切り込んでおき、第一の緩衝ブロックをＬ字の一辺の貫通孔内にスリット部分まで挿入し、前記スリットに貫通孔の縁が進入するように緩衝ブロックを移動させ、ついで第２の緩衝ブロックをＬ字の他方の辺の貫通孔内にスリット部分まで挿入し、前記スリットに貫通孔の縁が進入するように移動させ、相互に緩衝ブロックの位置を保持するようにしたことを特徴とする緩衝材。
【発明の詳細な説明】
【０００１】
【発明の属する技術分野】
本発明は、段ボール箱梱包内等に用いる緩衝材の構造に関する。
【０００２】
【従来の技術】
器材の梱包材として段ボールを使用し、段ボールに発泡スチロールなどの発泡プラスチックからなる緩衝ブロックを取付けて段ボール箱内に挿入する緩衝材がある。このような緩衝材は従来、発泡プラスチックからなる緩衝ブロックを段ボール面に接着剤を用いて貼着していたが、梱包材を処分する際に発泡プラスチック等を段ボールから分離することが容易でなく、発泡プラスチックが破断してしまい、きれいに分離することができないことが多い。このため段ボールの回収やリサイクルの障害となっている。
【０００３】
このような問題点を解決するために、緩衝ブロックの基面にありほぞを設け、段ボールにありほぞが係止する孔とこれに連設する差込孔を設け、差込孔に挿入したありほぞを係止孔に移動させ、ありほぞが抜け出すのを防止する横移動防止舌片を供えた構造がある（例えば、特許文献１参照。）。
【０００４】
この構造は接着剤を使用することなく緩衝ブロックを段ボールに取付け取外しをすることができ、容易に分離して回収することができるので、リサイクルが容易であるという利点がある。しかしながら、ありほぞは浅い嵌合による係止構造であるので、例えば包装品を落下させたりしたときに、ありほぞと段ボールとの係合部が外れてしまうことがある。
【０００５】
また、緩衝材の対向する側面に突起を設け、段ボール箱の対向面に孔を設けておき緩衝材を傾けてその突起が対向する孔に１つずつ入るように揺動させて嵌め込む技術がある（例えば、特許文献２参照。）。この緩衝材は底面や側面が段ボール箱の底面及び立設面に当接する大きさの場合に限られる構造であり、前記突起は位置決め用のものである。
【０００６】
【特許文献１】
実開平６−３００７３号公報
【特許文献２】
特開平８−１９８３３３号公報
【０００７】
【発明が解決しようとする課題】
本発明は、このような段ボールと緩衝材ブロックとを組合わせて、緩衝材を形成する場合に、緩衝材の段ボールと発泡プラスチック等の緩衝ブロックとが衝撃等によって外れることはなく、一方容易に取付け取外しできるように形成した改善された構造を提供することを目的とする。
【０００８】
【課題を解決するための手段】
本発明は、上記課題を解決するためになされたもので、次の技術手段を講じたことを特徴とする緩衝材である。すなわち、本発明の第１の発明は、段ボール又はこれに類似した板材と緩衝ブロックとを組み合わせてなる緩衝材において、板材に貫通孔を設け、該貫通孔は緩衝ブロックが挿通されると共に部分的に切り残して孔の縁にフラップを形成しておき、一方、緩衝ブロックには板材が進入するスリットを胴部に切り込んでおき、前記緩衝ブロックのスリットを前記フラップに対向する辺に向けて、フラップを曲げて緩衝ブロックを貫通孔内にスリット部分まで挿入し、前記スリットに貫通孔の縁が進入するように緩衝ブロックを移動させ、前記フラップを元に戻して緩衝ブロックの位置を保持するようにしたことを特徴とする緩衝材である。
【０００９】
本発明によれば、前記貫通孔は、部分的に切り残して形成したフラップを備えているので、格別の部材を要することなく緩衝ブロックが所定の位置からずれ動くのを防止することができる。
【００１０】
本発明の第２の発明は、段ボール又はこれに類似した板材と緩衝ブロックとを組み合わせてなる緩衝材において、板材にＬ字状に開脚形に連設した形状の貫通孔を設け、該貫通孔のＬ字の各辺の孔に挿通される２個の緩衝ブロックを備え、緩衝ブロックには板材が進入するスリットを胴部に切り込んでおき、第一の緩衝ブロックをＬ字の一辺の貫通孔内にスリット部分まで挿入し、前記スリットに貫通孔の縁が進入するように緩衝ブロックを移動させ、ついで第２の緩衝ブロックをＬ字の他方の辺の貫通孔内にスリット部分まで挿入し、前記スリットに貫通孔の縁が進入するように移動させ、相互に緩衝ブロックの位置を保持するようにしたことを特徴とする緩衝材である。
【００１１】
本発明によれば、前記貫通孔は、別体の２個の緩衝ブロックがそれぞれ進入する貫通孔をＬ字状に開脚形に連設した形状となっており、２個の緩衝ブロックが相互に自己保持による抜け出し防止作用を備え、一方人手による分解は容易であり、上記フラップ等も不用となり好ましい。
【００１２】
【発明の実施の形態】
以下図面を参照して本発明の実施の形態を説明する。
【００１３】
図１は本発明の第１の発明の実施例の緩衝材を示す図である。
【００１４】
実施例の緩衝材１は緩衝ブロック１０と、板状の段ボール２０との組合せから成るものである。緩衝ブロック１０は、実施例では直方体状をなしており、その胴体に側方からスリット１１が切り込まれている。このスリット１１は板状の段ボール２０の板体が進入するものである。緩衝ブロックは直方体状に限るものではなく、円柱状、多角柱状、角錐台状、卵形状など、どのような形状でも良く、段ボールを支持する緩衝性をもつ脚ないし台の作用をするものであればよい。材質としては例えば発泡プラスチック等が好ましい。
【００１５】
段ボール２０は、緩衝ブロック１０のスリット１１に進入する厚さ２４を有し、緩衝ブロック１０が進入可能な貫通孔２１を開口している。この貫通孔２１の大きさは緩衝ブロック１０がスリット１１を段ボール２０の板面に平行にした姿勢で進入する大きさとなっている。図１の例では、緩衝ブロック１０が直方体状なのでスリットに平行な面の幅１２、長さ１３が通過する大きさの孔の幅２２、孔の長さ２３を有する貫通孔２１である。緩衝ブロック１０はこの貫通孔２１に、矢印１４で示すように、スリット１１が貫通孔２１の厚さと一致する位置まで挿入し、次いで図２に示すように矢印１５方向に移動させて、スリット１１に段ボール２０が係止するようにする。段ボール２０の貫通孔２１は、図３に示すように部分的に切り残したフラップ２５を備え、緩衝ブロック１０を貫通孔２１に挿入するとき、フラップ２５を曲げ上げておき、緩衝ブロック１０を段ボールに係止させた後、フラップ２５を矢印２６で示すように元に戻し、フラップ２５の先端２７が緩衝ブロック１０の戻りを制約し、脱け出さないようにしておく。
【００１６】
段ボール２０に設けた複数の貫通孔２１にそれぞれ緩衝ブロック１０を装着した組合せ体が本発明の緩衝材となる。複数の緩衝ブロック１０は板状段ボール２０の緩衝支持脚ないし緩衝台となる。このようにして、必要な緩衝性能を有する緩衝材を形成することができ、この緩衝材は使用後、段ボール２０から緩衝ブロック１０を分離除去することは簡単である。
【００１７】
図４は本発明の第２の発明の実施例を示す斜視図である。この実施例では２個の緩衝ブロック１０ａ、１０ｂを用いて、抜け止めを緩衝ブロック自身で行うようにしたものである。段ボール２０には２個の緩衝ブロック１０ａ、１０ｂが進入する貫通孔３１、３２をＬ字状に配設した貫通孔を備えている。このＬ字の２辺のなす交角は実施例は９０゜になっているがこれに限るものではなく、たとえば６０〜１２０゜でもよい。緩衝ブロック１０ａ、１０ｂは図１に示したものと同様の直方体状ものを示しているが、この形状に限るものではなく、適宜の形状とし、その形状に合わせた自己抜け止め方式の貫通孔を形成すればよい。
【００１８】
図４の例では、先ず一方の緩衝ブロック１０ａを貫通孔３１に挿入してスリット１１を段ボールに係止させ、次いで他方の緩衝ブロック１０ｂを貫通孔３２に挿入してそのスリット１１を段ボール２０に係止する。このとき、貫通孔３１と３２は共通部分３３を共有し、緩衝ブロック１０ｂが緩衝ブロック１０ａの抜け止めとなっており、また、緩衝ブロック１０ａと１０ｂとの摩擦によって緩衝ブロック１０ｂも抜けないようになっている。
【００１９】
図５はこの作用が発生する原理を説明する斜視図である。緩衝ブロック１０ａの長さ寸法Ａに対して共通部分３３を含む貫通孔３１の寸法Ａ１は僅か大きく、緩衝ブロックのスリット奥から後方の寸法Ｂに対して貫通孔３１の寸法Ｂ１は少し大きく形成してある。従って、緩衝ブロック１０ａを貫通孔３１に挿入してスリット１１を段ボール２０に係止させた状態では、貫通孔３２は共通部分３３を含めて開口している。この開口の長さ寸法Ｃ１は緩衝ブロック１０ｂの長手寸法Ｃより僅か大きい。次に緩衝ブロック１０ｂをシフトしてそのスリット１１を段ボール２０に係止させる。緩衝ブロック１０ｂのスリット奥から後方の寸法Ｄに対して貫通孔３２の寸法Ｄ１は小さく形成しておく。従って、緩衝ブロック１０ｂは共通部分３３内に残って緩衝ブロック１０ｂの抜け止めとなる。またこの状態で衝撃等が加えられても、緩衝ブロック１０ａ、１０ｂは互いにせり合い状態となり、緩衝ブロック１０ｂも抜けない。
【００２０】
図４の実施例も段ボール２０に設けた複数の貫通孔２１にそれぞれ緩衝ブロック１０を装着して組合せ体が本発明の緩衝材となる。複数の緩衝ブロック１０は板状段ボール２０の緩衝支持脚ないし緩衝台となる。このようにして、必要な緩衝性能を有する緩衝材を形成することができ、この緩衝材は使用後、段ボール２０から緩衝ブロック１０を分離除去することは簡単である。
【００２１】
【発明の効果】
本発明の緩衝材は以上のように構成されているので、衝撃力やねじれが加えられた時でも緩衝ブロックが外れてトラブルを生ずるようなことはなく、すぐれた緩衝材として梱包品の保護が完全であり、最終的に分解するときは極めて容易に段ボールと緩衝ブロックを分離、分解することができ、作業性が向上し、リサイクルが容易であるという優れた効果を奏する。
【図面の簡単な説明】
【図１】実施例の緩衝材の斜視図である。
【図２】実施例の緩衝材の斜視図である。
【図３】実施例の側面図である。
【図４】別の実施例の緩衝材の斜視図である。
【図５】図４の実施例の説明図である。
【符号の説明】
１    緩衝材
１０、１０ａ、１０ｂ    緩衝ブロック
１１    スリット
１２    幅
１３    長さ
１４，１５，１６，１７    矢印
２０    段ボール
２１    貫通孔
２２    孔の幅
２３    孔の長さ
２４    厚さ
２５    フラップ
２６    矢印
２７    先端
３１、３２    貫通孔
３３    共通部分
【図１】
2005022717.tif 000003
【図２】
2005022717.tif 000004
【図３】
2005022717.tif 000005
【図４】
2005022717.tif 000006
【図５】
2005022717.tif 000007